(57)【特許請求の範囲】
【請求項１】
雪面上での滑走性能に優れた合成樹脂からなる主滑走面と、
当該主滑走面を構成する合成樹脂より耐熱性に優れた補強材からなり、前記主滑走面と両側縁のエッジとの間においてエッジと接して設けられた補強滑走面と
を備え、合成樹脂製のスキー用マット上をも好適に滑走することができるスキー又はスノーボードであって、
前記補強滑走面は、滑走者による荷重によってスキー又はスノーボードが平坦な状態となる接雪部と対応してその接雪部の長さの少なくとも９０％以上の長さに亘って設けられており、かつ、当該補強滑走面の幅は１０〜３０ｍｍであることを特徴とするオールシーズン対応のスキー又はスノーボード。
【請求項２】
前記主滑走面は、ポリエチレン樹脂からなり、前記補強滑走面は、融点が２００℃以上の合成樹脂又は金属からなることを特徴とする請求項１に記載のオールシーズン対応のスキー又はスノーボード。
【請求項３】
前記補強滑走面は、ポリブチレンテレフタレート樹脂からなることを特徴とする請求項１又は請求項２に記載のオールシーズン対応のスキー又はスノーボード。
【請求項４】
前記補強滑走面は、アルミ合金、チタン合金又はステンレスからなることを特徴とする請求項１又は請求項２に記載のオールシーズン対応のスキー又はスノーボード。
【請求項５】
前記補強滑走面は、その長手方向において、スキー又はスノーボードの有効エッジ長の少なくとも前後２０ｍｍまで延設されていることを特徴とする請求項１ないし請求項４のいずれか一項に記載のオールシーズン対応のスキー又はスノーボード。
【発明の詳細な説明】
【技術分野】
【０００１】
本発明は、スキー及びスノーボードに関するものであって、より詳細には、雪面上でも人工スキー場のスキー用マット上でも使用可能なオールシーズン対応のスキー及びスノーボードに関するものである。
【背景技術】
【０００２】
従来、雪面上を滑走するには雪面上を滑走するのに適した滑走面を備えた冬用のスキー及びスノーボードを使用し、夏に人工スキー場のスキー用マット上を滑走するには合成樹脂製のスキー用マット上を滑走するのに適した滑走面を備えた夏用のスキー及びスノーボードを使用している。
【０００３】
冬用のスキー及びスノーボードの滑走面は、ワックス浸透性に優れ、かつ、雪や氷が付着して凍結することのない材料から構成する必要があり、ポリエチレン樹脂がこれらの条件を満たし軽量で安価に入手できることから、冬用のスキー及びスノーボードの滑走面として一般的に広く用いられている。
【０００４】
そして、雪面上を滑走するのに適した冬用のスキー及びスノーボードにて夏にスキー用マット上を滑走すると、滑走面が損傷し、すぐに雪面上での使用に適さなくなってしまうという問題がある。
なお、図５に示すように、人工スキー場のスキー用マット（プラスキー）４０は、一般的にポリエチレン樹脂製又はポリアミド樹脂製であり、高さ２０〜３０ｍｍ程度の棒状突起４１を備えたものが一般的である。
【０００５】
この滑走面の損傷箇所について調査すべく、図５に示すようにポリエチレン樹脂製の棒状突起４１を立設したスキー用マット４０上を外気温１０〜２２℃の条件下で一般的な冬用のスキーで２００ｍ滑走したところ、滑走面４２の損傷は、硬い平坦な床面上で滑走者による荷重を中央部に加えた場合にスキー及びスノーボードが床面に沿って平坦な状態となる部分（本明細書中において「接雪部」という。）に対応するエッジの近傍に発生していることが認められた。
【０００６】
そこで、この滑走面の損傷の原因について詳細に検討すべく、滑走直後の滑走面の温度を調査したところ、接雪部と対応するスキーのエッジ近傍の温度が７０℃〜１００℃に達していることが認められた。従って、滑走中において最も高温となるエッジと接する滑走面の温度は１３０℃〜１４０℃程度まで上昇しているものと考えられる。
【０００７】
一方、一般的な冬用のスキーの滑走面を構成するポリエチレン樹脂の融点について確認したところ、高くても１３５℃程度であり、滑走面が１４０℃に達すると滑走面が著しく溶融して損傷することが確かめられた。
上記の試験結果から、図５に示すようにターンの際に滑走面４２がスキー用マット４０の棒状突起４１と強く接することで生じる摩擦熱によって滑走面４２のポリエチレン樹脂が溶けてしまうことが主たる原因であることが判明した。
【０００８】
一方、合成樹脂製のスキー用マットとの摩擦に耐えられる夏用のスキー及びスノーボードとしては、滑走面の強度を高めるために滑走面を全てステンレスなどの金属板で被覆したり金属メッキを施したものが提案されている（特許文献１、２）。
しかしながら、滑走面を全てステンレスの金属板で被覆した現在市販されている夏用のスキーは、一般的な冬用のスキーより硬く、また、冬用のスキーより約４０％も重いものになっている（本明細書中の表２及び表３参照）。
【０００９】
従って、１）特に初心者にとってはそれらのスキー及びスノーボードを雪面上で使用するのは難しいという問題や、２）それらのスキー及びスノーボードを雪面上で使用すると、金属製の滑走面に雪や氷が付着して凍結し、滑走が困難になるといった問題がある。
【００１０】
また、滑走面の強度を高めて滑走面の損傷を防ぐために、先端部のみを金属化したスキーが提案されているが、先端部以外の滑走面が合成樹脂製であるため、夏にスキー用マット上を滑走する際に生じる滑走面の損傷に対処できるものではない（特許文献３）。
【００１１】
さらに、金属製のレールの上を滑ることをも意図したパーク用スキーとして現在市販されているものとして、図６に示すように、金属製のレールと接するスキー５０の中央部付近のエッジ２と隣接してセラミック製の補強材５１を滑走面５２に設けたものが提案されている。なお、この補強材５１の全長は、スキー全体の長さの約３０％程度である。
【００１２】
しかしながら、かかるパーク用スキーは、あくまでも冬用のスキーであって、補強材５１が設けられていない大半の滑走面５２が雪面上の滑走に適したポリエチレン樹脂から構成されており、やはり夏にスキー用マット上を滑走する際に生じる滑走面の損傷に対処できるものではない。
【００１３】
上記のように、冬用のスキー及びスノーボードと夏用のスキー及びスノーボードの滑走面は、その構造及び特性が異なっているため互いに互換性を有するものではなく、従来、冬に雪面上を滑走し、夏に人工スキー場のスキー用マット上を滑走するには、２つの異なる用途に適した冬用のスキー及びスノーボードと、夏用のスキー及びスノーボードとを別個に用意する必要がある。
【００１４】
従って、１）両者を揃えるのには費用的な負担が大きい、２）両者を保管するのは住宅事情からも不便である、３）冬用のスキー及びスノーボードとの特性の違いが非常に大きいため、冬用のスキー及びスノーボードを雪面上で使用する場合に備えた練習として夏用のスキー及びスノーボードをスキー用マット上で使用するのは適当ではないという問題があった。
【００１５】
スキー及びスノーボードのレンタル業務を行う際においても、冬用と夏用のスキー及びスノーボードを購入する必要があるといった不都合、及び、冬用と夏用のスキー及びスノーボードの保管場所を確保する必要があるといった不都合を生じている。
【００１６】
なお、滑走面を高強度のポリアミド樹脂から構成し、軽量化した夏用のスキーが市販されているが、かかるスキーは滑走時の摩擦抵抗を減ずるために滑走面に網目状の凹凸形状を形成しており、雪面上での滑走に適したものではなく、また、夏にスキー用マット上を滑走した場合に滑走面の損傷を完全に防ぐことはできないという問題があった。
【００１７】
その理由は、ポリアミド樹脂の融点が１７５℃程度であり、ターンの際にスキー用マットの棒状の突起と強く接することで生じる摩擦熱によって滑走面の樹脂が軟化するためであると考えられる。
さらに、ポリアミド樹脂はワックス浸透性に欠け、高価であるとか、低温下で割れ易いという問題もある。
【００１８】
そこで、スキー及びスノーボードの滑走面全体を耐熱性に優れたポリブチレンテレフタレート樹脂から構成することも考えられる（本発明との比較例として本明細書中の表３に記載）。しかしながら、かかるスキー及びスノーボードにおいても、ワックスの浸透性が悪いため、雪面上の滑走性能が劣ってしまうという問題がある。
従って、雪面上での滑走性に優れ、かつ、夏に人工スキー場のスキー用マット上をも好適に滑走することができる実用的なオールシーズン対応のスキー及びスノーボードは実現できていなかった。
【先行技術文献】
【特許文献】
【００１９】
【特許文献１】実用新案登録第３０３６２５５号公報
【特許文献２】特開平１１−１６４９３０号公報
【特許文献３】実開昭６２−９０６７３号公報
【発明の概要】
【発明が解決しようとする課題】
【００２０】
そこで、本発明が解決しようとする課題は、冬に雪面上を滑走し、夏に人工スキー場のスキー用マット上を滑走するには、冬用のスキー及びスノーボードと、夏用のスキー及びスノーボードとを別個に用意する必要があることであって、本発明の目的は、雪面上での滑走性に優れ、かつ、夏に人工スキー場のスキー用マット上をも好適に滑走することができる実用的なオールシーズン対応のスキー及びスノーボードを提供することにある。
【課題を解決するための手段】
【００２１】
本発明は、「雪面上での滑走性能に優れた合成樹脂からなる主滑走面と、当該主滑走面を構成する合成樹脂より耐熱性に優れた補強材からなり、前記主滑走面と両側縁のエッジとの間においてエッジと接して設けられた補強滑走面とを備え、合成樹脂製のスキー用マット上をも好適に滑走することができるスキー又はスノーボードであって、
前記補強滑走面は、滑走者による荷重によってスキー又はスノーボードが平坦な状態となる接雪部と対応してその接雪部の長さの少なくとも９０％以上の長さに亘って設けられており、かつ、当該補強滑走面の幅は１０〜３０ｍｍであるオールシーズン対応のスキー又はスノーボード。」を最も主要な特徴とするものである。
【００２２】
本発明のスキー及びスノーボードにおいて、前記主滑走面は、ポリエチレン樹脂からなり、前記補強滑走面は、融点が２００℃以上の合成樹脂又は金属から構成されていてもよい。
特に、前記補強滑走面は、ポリブチレンテレフタレート樹脂、アルミ合金、チタン合金又はステンレスから構成されているとよい。
【００２３】
本発明のスキー及びスノーボードにおいて、前記補強滑走面は、その長手方向において、スキー及びスノーボードの有効エッジ長の少なくとも前後２０ｍｍまで延設されていてもよい。
【発明の効果】
【００２４】
上記の構成により、本発明のスキー及びスノーボードは、滑走面の大半を雪面上での滑走性に優れる主滑走面が占めており、かつ、スキー用マット上を滑走することで温度が上昇する滑走面に対応して耐熱性に優れた補強材からなる補強滑走面を備えているため、夏に人工スキー場のスキー用マット上をも好適に滑走することができる実用的なオールシーズン対応のスキー及びスノーボードとして使用できる。
【００２５】
従って、１）冬用と夏用のスキー（スノーボード）の両者を揃える費用的な負担を生じることがなく、２）冬用と夏用のスキー（スノーボード）の両者の保管場所を確保する必要が無く、さらには、３）雪面上とスキー用マット上を１本のスキー（スノーボード）にて滑走できるため、雪面上で滑走する場合に備えた練習として夏にスキー用マット上を滑走する練習が非常に効果的なものとなるばかりか、春に人工スキー場の積雪量を心配する必要が無いといった効果をも奏する。
【００２６】
また、本発明のスキー及びスノーボードにおいて、前記主滑走面をポリエチレン樹脂から構成し、前記補強滑走面を融点が２００℃以上の合成樹脂又は金属から構成することで、一般的に広く用いられている冬用のスキーと同様の滑走性能を備え、かつ、スキー用マット上での滑走にも対応したスキー及びスノーボードを安価に提供することができる。
【００２７】
本発明のスキー及びスノーボードにおいて、前記補強滑走面がポリブチレンテレフタレート樹脂から構成されることにより、主滑走面と補強滑走面の重量、剛性、ワックス浸透性、雪や氷が凍結することがないなどといった点で従来の一般的な冬用のスキーと同等の滑走性能及び使い勝手の良さを雪面上での使用において発揮することができるばかりか、春及び夏においてスキー用マット上を滑走する使用によっても滑走面が損傷することがなく、しかも製造コストの上でも有利なものとすることができ、オールシーズン対応のスキー及びスノーボードとして実用上優れたものを提供することができる。
【００２８】
本発明のスキー及びスノーボードにおいて、前記補強滑走面がアルミ合金、チタン合金又はステンレスから構成されることにより、補強滑走面の重量が若干増大したり、ワックス浸透性に欠けたり、雪や氷が凍結することがあるが、補強滑走面の幅は１０〜３０ｍｍと抑えられているため、従来の一般的な冬用のスキーと比較してもさほど劣ることのない滑走性能及び使い勝手の良さを雪面上での使用において発揮することができるばかりか、春及び夏においてスキー用マット上を滑走する使用によっても滑走面が損傷することがなく、しかも製造コストの上でも有利なものとすることができ、オールシーズン対応のスキー及びスノーボードとして実用上何ら問題のないものを提供することができる。
【００２９】
本発明のスキー及びスノーボードにおいて、前記補強滑走面をその長手方向においてスキー及びスノーボードの有効エッジ長（スキー用マット上を滑走してターンする際にスキー用マットと接するエッジの長さ）の少なくとも前後２０ｍｍまで延設されたものとすることで、上記の効果に加え、スキー用マット上を滑走する使用によって滑走面が損傷することを確実に防止することができ、オールシーズン対応のスキー及びスノーボードとして非常に優れたものを提供することができる。
【図面の簡単な説明】
【００３０】
【図１】図１は本発明を具体化したスキーの一実施例の滑走面（底面）及び側面を示す図である。
【図２】図２は本発明を具体化したスキーの横断面形状の概略を示す図である。
【図３】図３は本発明を具体化したスキーの他の実施例の滑走面（底面）及び側面を示す図である。
【図４】図４は本発明を具体化したスノーボードの一実施例の滑走面（底面）及び側面を示す図である。
【図５】図５はスキー又はスノーボードのターン時における滑走面との接触状態を示すスキー用マットの側面図である。
【図６】図６は従来のパーク用スキーの滑走面（底面）を示す図である。
【発明を実施するための形態】
【００３１】
本発明は、雪面上での滑走性能に優れた合成樹脂からなる主滑走面と、当該主滑走面を構成する合成樹脂より耐熱性に優れた補強材からなり、前記主滑走面と両側縁のエッジとの間においてエッジと接して設けられた補強滑走面とを備え、合成樹脂製のスキー用マット上をも好適に滑走することができるスキー又はスノーボードであって、
前記補強滑走面は、滑走者による荷重によってスキー又はスノーボードが平坦な状態となる接雪部と対応してその接雪部の長さの少なくとも９０％以上の長さに亘って設けられており、かつ、当該補強滑走面の幅は１０〜３０ｍｍであるオールシーズン対応のスキー又はスノーボードである。
【００３２】
本発明の上記スキー及びスノーボードは、その主滑走面をポリエチレン樹脂から構成し、補強滑走面を融点が２００℃以上の合成樹脂又は金属から構成するとよい。
特に、本発明の上記スキー及びスノーボードは、その補強滑走面をポリブチレンテレフタレート樹脂、アルミ合金、チタン合金又はステンレスから構成するとよい。
【００３３】
さらに、本発明の上記スキー及びスノーボードは、その補強滑走面をその長手方向において、スキー及びスノーボードの有効エッジ長（スキー用マット上を滑走してターンする際にスキー用マットと接する部分の長さ）の少なくとも前後２０ｍｍまで延設するとよい。
【００３４】
以下、本発明を具体化した実施例１〜３について説明する。
【実施例１】
【００３５】
図１及び図２は、本発明を前後の端部が斜め上方に向かって反っているタイプのスキー（ＴＷＩＮ  ＴＩＰ  ＳＫＩ）に具体化した一実施例のスキー１０を示す図であって、雪面上での滑走性に優れ、かつ、春、夏及び秋において、人工スキー場のスキー用マット上をも好適に滑走することができる実用的なオールシーズン対応のスキーである。
【００３６】
１はポリエチレン樹脂からなる主滑走面、２はスキー１０の周縁に配置された金属製のエッジである。この主滑走面１は、ポリエチレン樹脂から構成されているため、ワックス浸透性に優れ、雪や氷が凍結することが無く、雪面上での滑走性能に優れている。
【００３７】
３は前記主滑走面１と両側縁のエッジ２との間においてそれらのエッジ２及び主滑走面１と接するように設けられた補強滑走面であって、当該補強滑走面３は、硬い平坦な床面上で滑走者による荷重によってスキーが平坦な状態となる接雪部４と対応して設けられている。
【００３８】
前記各補強滑走面３は、本発明において前記主滑走面１を構成する合成樹脂より耐熱性に優れた補強材から構成する必要があり、特にエッジ２及び補強滑走面３が合成樹脂製のスキー用マットと強く接することで生じる摩擦熱によっても軟化したり溶けてしまうことが無い合成樹脂又は金属から構成する必要がある。
【００３９】
従って、補強滑走面３は、融点が２００℃以上の合成樹脂又は金属から構成することが好ましく、本実施例においてはポリブチレンテレフタレート樹脂（ＰＢＴ）からなる。
このポリブチレンテレフタレート樹脂の融点は、約２２５℃である。
【００４０】
前記主滑走面１及び各補強滑走面３の厚さは、約１．３〜１．７ｍｍであり、前記エッジ２の底面と面一となるような厚さに設定されている（図２参照）。なお、前記エッジ２の上下方向の厚さは一般的に２〜２．３ｍｍ程度となっている。
【００４１】
前記各補強滑走面３は、本発明に従ってオールシーズン対応のスキーとして実用上問題のないものとするために、接雪部４の長さ（接雪長Ｓ）の少なくとも９０％以上の長さに亘って設けられる必要があり、本実施例においては前記接雪部４の長さより長く、スキー１０の有効エッジ長Ｅの前後２０ｍｍまで延設されている（図１に示す補強長さＬ１）。
そして、各補強滑走面３の前後の端部は、幅が徐々に狭くなるように斜状に形成されており、主滑走面１の損傷を少ない面積で効率的に防止するとともに、補強滑走面３が剥離するトラブルが生じないようにしている。
【００４２】
また、前記各補強滑走面３の幅（図１に示す補強幅Ｌ２）は、本発明において１０〜３０ｍｍである必要があり、本実施例においては１５ｍｍとなっており、２本の補強滑走面３により滑走面全体の約３０％を補強滑走面３が占めている。
【００４３】
５はスキー１０のインサートとして使用されスキー１０の長手方向に延びる芯材であり、６はＦＲＰ層であって、前記芯材５の上面及び下面と接して設けられている。
７は上面側のＦＲＰ層６の上面を覆うように設けられた表面シートである。
【００４４】
上記のように構成されたスキー１０は、エッジ２に囲まれた滑走面が全て合成樹脂から構成されているため、重量及び剛性が冬用のスキーとほぼ同じであり、かつ、滑走面の大部分（約６０％）をポリエチレン樹脂製の主滑走面１が占めているため、雪面上の滑走について従来の冬用のスキーと同等の優れた滑走性能を備えている。
２本の補強滑走面３が滑走面全体に占める面積の割合は、約４０％となっている。
【００４５】
さらに、上記のように構成されたスキー１０は、スキー用マットの棒状突起と強く接する滑走面が、耐熱性に優れた合成樹脂からなる補強滑走面３となっているため、夏に人工スキー場のスキー用マット上を滑走しても滑走面が損傷することがなく、良好な滑走性能を発揮することができた。
但し、金属製のレール上を滑走するパーク用スキーとして使用した場合においては、通常の冬用スキー程ではないが、滑走面に損傷が発生した。
【００４６】
次に、本発明のスキー１０を製造する方法について説明する。
本発明のスキー１０を製造するには、滑走面にロゴや模様を形成する際に従来用いられているダイカット製法を用いればよい。
従って、通常のスキーと同一の設備にて本発明によるスキー１０も製造可能である。
【００４７】
本発明によりスキー１０を製造するには、スキー１０の主滑走面を構成することとなるポリエチレン樹脂製のシートと、補強滑走面を構成することとなるＰＢＴ樹脂製のシートを用意し、それらのシートをそれぞれ主滑走面１と補強滑走面３の形状に合わせてカットする。
また、予め複数本の角材を並べて接着剤にて一体化した木製芯材などの芯材５を用意する（図２参照）。
【００４８】
そして、本実施例においてはエポキシ系の接着剤を塗布しつつ主滑走面１及び補強滑走面３を構成する合成樹脂製のシート上に金属製のエッジ２、ガラス繊維製のシート、芯材５、ガラス繊維製のシート、表面シート７を配置したものを加熱しながら金型を使ってプレスし、数十分から１時間半程度の時間をかけて接着剤を硬化させ、その後、常温に冷却する。
【００４９】
なお、前記ガラス繊維製のシートは、接着剤が硬化することでＦＲＰ層６を形成するものであり、上記の製造工程は、スキー１０の滑走面として２つの異なる材料からなる主滑走面１と補強滑走面３を使用するということ以外の点では従来の一般的なスキーを製造するための工程と異なるものではない。
【００５０】
次に、スキー１０の滑走面を研磨仕上げ加工することで、プレス成型加工後の滑走面において部材同士が強く密着した状態となって生じている歪みなどを除去する。
従って、特別の金型などを用意することなく従来の設備を使用して公知の製法にてスキー１０を迅速かつ容易に製造することができる。
【００５１】
ここで、代表的なテールが長いスキーについて本発明を具体化する際の各部の寸法について以下の表に示す。
【００５２】
【表１】
0005483352.tif 000002
【実施例２】
【００５３】
図３は、本発明をテールが短いスキーに具体化した他の実施例のスキー２０を示す図であって、前記実施例のスキー１０と同様に雪面上での滑走性に優れ、かつ、春、夏及び秋に人工スキー場のスキー用マット上をも好適に滑走することができる実用的なオールシーズン対応のスキーである。
【００５４】
本実施例のスキー２０において、前記実施例のスキー１０と同様の構成については、同一の符号を付して以下のとおり説明する。
１は雪面上での滑走性能に優れたポリエチレン樹脂からなる主滑走面、２はスキー２０の周縁に配置された金属製のエッジである。
【００５５】
３は前記主滑走面１と両側縁のエッジ２との間に設けられた補強滑走面であって、当該補強滑走面３は、硬い平坦な床面上で滑走者による荷重によってスキーが平坦な状態となる接雪部４と対応して設けられている。
前記補強滑走面３は、本実施例のスキー２０においてはアルミニウム合金からなる。
このアルミニウム合金は、軽量で強度及び加工性に優れたアルミニウムとチタンの合金であるチタナール（オーストリア  メタル  アクチエンゲゼルシャフト社製）を使用している。
【００５６】
この実施例のスキー２０のように金属材料から補強滑走面３を構成する場合には、前記主滑走面１を構成する合成樹脂より耐熱性に優れ、加工性にも優れた金属を使用することが好ましいため、アルミ合金、チタン合金又はステンレスなどから適宜選択するとよい。
【００５７】
前記主滑走面１及び補強滑走面３の厚さは、約１．３〜１．７ｍｍであり、前記エッジ２の底面と面一となるような厚さに設定される（図２参照）。なお、前記エッジ２の上下方向の厚さは一般的に２〜２．３ｍｍ程度となっている。
前記各補強滑走面３は、本実施例のスキー２０において前記接雪部４の長さ（図３に示す接雪長Ｓ）より長く、スキー１０の有効エッジ長Ｅの前２０ｍｍ、後４０ｍｍまで延設されている（図３に示す補強長さＬ１）。
【００５８】
そして、各補強滑走面３の前端部は、幅が徐々に狭くなるように斜状に形成されており、主滑走面１の損傷を少ない面積で効率的に防止するようになっている。
一方、本実施例のスキー２０は、テールが短いスキーであって、接雪部の後端とスキー２０の後端との距離が短いため、前記各補強滑走面３の後端部をスキー２０の後端部まで延設している。
また、前記各補強滑走面３の幅（図３に示す補強幅Ｌ２）は、本実施例においても１５ｍｍとなっている。
【００５９】
上記のように構成されたスキー２０は、滑走面の大半がポリエチレン樹脂から構成されているため、重量が冬用のスキーより５％程度大きいだけであり、冬用のスキーとほぼ同じであり、剛性は冬用のスキーより１０％程度大きいだけであり、冬用のスキーと大差がない。
【００６０】
従って、この実施例のスキー２０は、雪面上での使用時において金属製の補強滑走面３に雪又は氷が付着して凍結することがあるが、滑走面の大半を占める主滑走面１が雪面上での滑走に適したポリエチレン樹脂製であるため、従来の冬用のスキー程ではないが良好な滑走性能を発揮できた。
【００６１】
そして、スキー用マット上での滑走及びパーク用スキーとしての使用については、前記実施例１のスキー１０と同等の性能を発揮できた。
他の性能及び特徴についての詳細は、下記の表３に示されている。
このスキー２０は、前記スキー１０と同様にプレス金型を用いる従来公知のダイカット製法にて製造可能である。
【００６２】
ここで、従来のスキーに使用されている滑走面の材料と、上記各実施例にて使用したＰＢＴ樹脂とアルミ合金の特性の比較結果を以下の表に示す。
【００６３】
【表２】
0005483352.tif 000003
【００６４】
本発明によるスキー１０，２０と、比較例と、従来の一般的な冬用スキー、夏用スキー及びパーク用スキーの用途、性能及び特徴を比較評価した結果を以下の表に示す。
【００６５】
【表３】
0005483352.tif 000004
【００６６】
ここで、代表的なテールが短いスキーについて本発明を具体化する際の各部の寸法について以下の表に示す。
【００６７】
【表４】
0005483352.tif 000005
【００６８】
上記各実施例のスキー１０，２０において、前記補強滑走面３の幅を１０ｍｍとすると、２本の補強滑走面３が滑走面全体に占める面積の割合は約２０％となり、前記補強滑走面３の幅を３０ｍｍとすると、２本の補強滑走面３が滑走面全体に占める面積の割合は約６２％となる。
従って、本発明によるスキーにおいて、補強滑走面３を形成する面積は、滑走面全体の２０％〜６２％が適当であるが、主滑走面１の損傷を効果的に防ぎつつ良好な滑走性能を確保するためには、２０％〜４０％の範囲が特に好ましい（各補強滑走面３の幅が１０〜１５ｍｍの範囲に相当する）。
【実施例３】
【００６９】
図４は、本発明を具体化したスノーボードの一実施例を示す図であって、前記実施例のスキー１０，２０と同様に雪面上での滑走性に優れ、かつ、夏に人工スキー場のスキー用マット上をも好適に滑走することができる実用的なオールシーズン対応のスノーボード３０である。
【００７０】
本実施例のスノーボード３０において、前記実施例のスキー１０と同様の構成については、同一の符号を付して以下のとおり説明する。
１は雪面上での滑走性能に優れたポリエチレン樹脂からなる主滑走面、２はスノーボード３０の周縁に配置された金属製のエッジである。
３は前記主滑走面１と両側縁のエッジ２との間に設けられた補強滑走面であって、当該補強滑走面３は、硬い平坦な床面上で滑走者による荷重によってスノーボードが平坦な状態となる接雪部４と対応して設けられている。
そして、前記各補強滑走面３は、本実施例においてはポリブチレンテレフタレート樹脂（ＰＢＴ）からなる。
【００７１】
前記主滑走面１及び各補強滑走面３の厚さは、約１．３〜１．７ｍｍであり、前記エッジ２の底面と面一となるような厚さに設定される（図２参照）。なお、前記エッジ２の上下方向の厚さは一般的に２〜２．３ｍｍ程度となっている。
前記各補強滑走面３は、本実施例のスノーボード３０において前記接雪部４の長さ（図４に示す接雪長Ｓ）より長く、スノーボード３０の有効エッジ長Ｅの前後各２０ｍｍまで延設されている（図４に示す補強長さＬ１）。
【００７２】
そして、各補強滑走面３の前後の端部は、幅が徐々に狭くなるように斜状に形成されており、主滑走面１の損傷を少ない面積で効率的に防止するようになっている。
また、前記各補強滑走面３の幅（図４に示す補強幅Ｌ２）は、本実施例において２０ｍｍとなっており、それらの２本の補強滑走面３が滑走面全体に占める面積の割合は、約１３％となっている。
【００７３】
上記のように構成されたスノーボード３０は、エッジ２に囲まれた滑走面が全てポリエチレン樹脂から構成されているため、重量及び剛性が冬用のスノーボードとほぼ同じである。
従って、この実施例のスノーボード３０は、雪面上での使用時において従来の冬用のスノーボードと同様の良好な滑走性能を発揮できた。
【００７４】
そして、スキー用マット上での滑走及びパーク用スノーボードとしての使用については、前記実施例１のスキー１０と同等の性能を発揮できた。即ち、滑走面に実用上問題となるような損傷は発生しなかった。
また、このスノーボード３０は、前記スキー１０と同様にプレス金型を用いる従来公知のダイカット製法にて製造可能である。
【００７５】
ここで、代表的なスノーボードについて本発明を具体化する際の各部の寸法について以下の表に示す。
【００７６】
【表５】
0005483352.tif 000006
上記実施例のスノーボード３０において、前記補強滑走面３の幅を１０ｍｍとすると、２本の補強滑走面３が滑走面全体に占める面積の割合は約６％となり、前記補強滑走面３の幅を３０ｍｍとすると、２本の補強滑走面３が滑走面全体に占める面積の割合は約１９％となる。従って、本発明によるスノーボードにおいて、補強滑走面を形成する面積は、滑走面全体の６％〜１９％が適当である。
【００７７】
本発明は上記実施例に限定されるものではなく、補強滑走面３の長さを接雪部の長さの９０％以上の長さで適宜変更して実施したり（例えば、補強滑走面３の長さを接雪長Ｓと同じ長さにしたり、有効エッジ長Ｅと同じ長さにして実施してもよい。）、補強滑走面３をスキー及びスノーボードの左右の側縁において非対称となる位置又は大きさに形成して実施したり（例えば、左右の補強滑走面３の長さ、幅、形状を異なるものとして実施してもよい。）、主滑走面１と補強滑走面３の接する部分の形状を波線状にして実施したり、補強滑走面３の前端又は後端の幅を徐々に小さくすることなく形成して実施してもよい。
【００７８】
また、補強滑走面を構成する原材料を効率よく使用したり、外観デザインを向上するため、或いは部分的に耐熱温度又は強度を変更するために、短い補強材を継ぎ合わせるようにして補強滑走面３を構成してもよい。
【００７９】
例えば、補強滑走面３を構成する中央部の補強材を強度の高い金属製又はセラミック製とすることで、パーク用スキーとしての使用にも耐えられるようにして実施してもよい。
また、補強滑走面３を構成する合成樹脂にセラミックス粉末又は無機粉末などを添加することで、補強滑走面３の強度を高めるようにして実施してもよい。
【００８０】
さらに、本発明の趣旨を逸脱しない範囲でスキー及びスノーボードの滑走面などの材質、形状、寸法、強度、設置位置、厚さ、大きさ、数などを適宜変更して実施してもよい。
特に補強滑走面の材料としては、上記にて説明した材料の他、傷付きにくく、耐熱性に優れ（好ましくは融点が２００℃以上）、ワックス浸透性、加工性、低温での強度に優れた合成樹脂から適宜選択可能である。
【産業上の利用可能性】
【００８１】
本発明は、１本で雪面上でも人工スキー場のスキー用マット上でも使用可能なオールシーズン対応のスキー及びスノーボードとして用いることができる。
【符号の説明】
【００８２】
１    主滑走面
２    エッジ
３    補強滑走面
４    接雪部
５    芯材
６    ＦＲＰ層
７    表面シート
１０    スキー
２０    スキー
３０    スノーボード
４０    スキー用マット
４１    棒状突起
４２    滑走面
５０    パーク用スキー
５１    補強材
５２    滑走面
Ｅ    有効エッジ長
Ｌ１    補強長さ
Ｌ２    補強幅
Ｓ    接雪長
【図１】
0005483352.tif 000007
【図２】
0005483352.tif 000008
【図３】
0005483352.tif 000009
【図４】
0005483352.tif 000010
【図５】
0005483352.tif 000011
【図６】
0005483352.tif 000012